【事件の表示】
　特許第２８６９８５５号「字消し具」の請求項１に係る特許に対する特許異議の申立てについて、次のとおり決定する。
【結　論】
　訂正を認める。
　特許第２８６９８５５号の請求項１に係る特許を維持する。
【理　由】
　　「１］　手続きの経緯
　本件特許第２８６９８５５号は、平成７年３月２８に特願平７−９３２０６号として特許出願されたものであって、平成１１年１月８日にその設定登録がなされ、その後、池上正彦より特許異議の申立てがなされ、次いで、取消理由通知がなされ、その指定期間内である平成１２年８月２５日に訂正請求がなされたものである。
　　［２］　訂正の適否
［２−１］　訂正の内容
　本件の訂正請求は、特許第２８６９８５５号の明細書を請求書に添付した訂正明細書のとおり、下記ａ〜ｃのように訂正することを求めるものである。
　　訂正の内容
ａ．　特許明細書の請求項１に係る発明の記載、
「【請求項１】　連続する修正塗料転写テープを介して、一体に回転自在に保持される供給リールと巻取りリールを有するカートリッジ体を、本体に対し着脱自在とするとともに、このカートリッジ体に、供給リール軸及び巻き上げリール軸を配設する基板並びに転写ヘッド、ヘッドカバー及びスライドカバーを一体に設けてなり、ヘッドカバーは、転写ヘッドの先端部のみを露出し、転写ヘッドとの間にテープ送出路及びテープ巻取り路を形成するように被覆してカートリッジ体に固定するとともに、スライドカバーは、本体先端に前後方向に摺動自在に形成し、ヘッドカバーを覆い、転写ヘッド先端を隠蔽できるように構成してなる字消し具。」
を、
「【請求項１】連続する修正塗料転写テープを介して、一体に回転自在に保持される供給リールと巻取リールを有するカートリッジ体を、本体に対し着脱自在とするとともに、このカートリッジ体に、供給リール軸及び巻き上げリール軸を配設する基板並びに転写ヘッド、ヘッドカバーを、又、本体にスライドカバーをそれぞれ一体に設けてなり、上記ヘッドカバーは、転写ヘッドの先端部のみを露出し、転写ヘッドとの間にテープ送出路及びテープ巻取り路を形成するように被覆してカートリッジ体に固定するとともに、上記スライドカバーは、本体先端において、前後方向に摺動自在に形成し、上記ヘッドカバーを覆い、転写ヘッド先端を隠蔽できるように構成してなる字消し具。」
と訂正する。
ｂ．特許明細書の段落【０００９】【課題を解決するための手段】の記載、
「このカートリッジ体と、供給リール軸及び巻取りリール軸を配設する基板並びに転写ヘッド、ヘッドカバー及びスライドカバーを一体としてなり、ヘッドカバーは、転写ヘッドの先端部のみを露出し、転写ヘッドとの間にテープ送出路及びテープ巻取り路を形成するように被覆してカートリッジ体に固定するとともに、スライドカバーは本体先端に前後方向に摺動自在に形成し、ヘッドカバーを覆い転写ヘッド先端を隠蔽できるようにしてなる。」
を
「このカートリッジ体と、供給リール軸及び巻き上げリール軸を配設する基板並びに転写ヘッド、ヘッドカバーを、又、本体にスライドカバーをそれぞれ一体としてなり、上記ヘッドカバーは、転写ヘッドの先端部のみを露出し、転写ヘッドとの間にテープ送出路及びテープ巻取り路を形成するように被覆してカートリッジ体に固定するとともに、上記スライドカバーは本体先端において、前後方向に摺動自在に形成し、上記ヘッドカバーを覆い転写ヘッド先端を隠蔽できるようにしてなる。」と訂正する。
ｃ．特許明細書の段落【００１０】【作用】の記載、
「本体の外側部材に対して前後方向に摺動自在とするスライドカバーを設け、」
を、
「本体先端の外側部材に対して前後方向に摺動自在とするスライドカバーを設け、」
と訂正する。
［２−２］　訂正の目的の適否、新規事項の有無及び拡張・変更の存否
　特許明細書の発明の詳細な説明の項の段落【００１２】、第２図、第９図に実施例として記載されているのは、スライドカバー（２１）と本体（２）は、一体に構成されているにも拘らず、特許請求の範囲の請求項１および特許明細書の段落【０００９】【課題を解決するための手段】に記載されているのは、カートリッジ体とスライドカバーは一体の構成としたものであって、特許明細書中に記載されている字消し具の構成とは相違するものである。
　そして、上記訂正事項ａ、ｂは、特許明細書の段落【００１２】及び第２図、第９図に開示されている実施例の記載に基づいて、本件の請求項１の記載、及び特許明細書の段落【０００９】【課題を解決するための手段】の記載を、カートリッジ体とスライドカバーを一体に設けた構成とするように訂正するものであるから、誤記の訂正に該当し、
　訂正事項ｃは、上記訂正事項ａ、ｂに伴う、記載の不整合を回避するために行う、明りょうでない記載の釈明に該当する。
　以上のことから、訂正事項ａ〜ｃは、願書に添付された明細書又は図面に記載された事項の範囲内の訂正と認められ、又、訂正事項ａ〜ｃは、実質上、特許請求の範囲を拡張又は変更するものではない。
　［２−３］　独立特許要件について
　訂正明細書の請求項１に係る発明は、訂正明細書の特許請求の範囲の請求項１に記載された事項により特定されるものであり、上記のように、当審が取消理由１で指摘した記載不備は解消されたので、特許法第３６条第４項及び第６項第１号の規定に違反してされたものとは認められないから、本件発明は特許出願の際独立して特許を受けることができるものと認める。
［２−４］訂正請求についての結論
　上記訂正は、平成６年法律第１１６号附則第６条の規定によりなお従前によるとされる、特許法第１２０条の４第２項の規定および同条第３項で準用する同法第１２６条第２項から第４項の規定に適合するので、本件訂正請求による訂正を認める。
　　［３］　特許異議の申立について
［３−１］　特許異議申立人の申立理由の概要
　異議申立人　池上正彦は、特許明細書の段落【００１２】及び第２図、第９図に図示されている実施例と、本件の請求項１の記載、及び特許明細書の段落【０００９】【課題を解決するための手段】の記載とが相違する不明確な記載であるから、本件発明は、特許法第３６条第４項及び第６項第１号の規定に違反し、特許を受けることができないものである旨主張している。
［３−２］　本件発明
　本件請求項１に係る発明は、訂正明細書の特許請求の範囲の請求項１に記載された事項により特定されるものである。
［３−３］　判断
　上記［２−２］において検討したように、訂正明細書により、特許明細書の段落【００１２】及び第２図、第９図に図示されている実施例と、本件の請求項１の記載、及び特許明細書の段落【０００９】【課題を解決するための手段】の記載とが一致する明確な記載となったから、特許法第３６条第４項及び第６項第１号の規定に違反し、特許を受けることができないとする、異議申立人の主張を認めることはできない。
　　［３−３］　むすび
　以上のとおりであるから、特許異議の申立ての理由および証拠方法によっては、本件発明の特許を取り消すことはできない。
　また、他に本件発明の特許を取り消すべき理由を発見しない。
【異議決定日】
平成１２年１０月６日（２０００．１０．６）
【訂正の要旨】
　本件の訂正請求は、特許明細書の誤記の訂正及び明りょうでない記載のを目的として、願書に添付した明細書を下記ａ〜Ｃのように訂正する。
「【請求項１】連続する修正塗料転写テープを介して、一体に回転自在に保持される供給リールと巻取りリールを有するカートリッジ体を、本体に対し着脱自在とするとともに、このカートリッジ体に、供給リール軸及び巻き上げリール軸を配設する基板並びに転写ヘッド、ヘッドカバー及びスライドカバーを一体に設けてなり、ヘッドカバーは、転写ヘッドの先端部のみを露出し、転写ヘッドとの間にテープ送出路及びテープ巻取り路を形成するように被覆してカートリッジ体に固定するとともに、スライドカバーは、本体先端に前後方向に摺動自在に形成し、ヘッドカバーを覆い、転写ヘッド先端を隠蔽できるように構成してなる字消し具。」
を、
「【請求項１】連続する修正塗料転写テープを介して、一体に回転自在に保持される供給リールと巻取リールを有するカートリッジ体を、本体に対し着脱自在とするとともに、このカートリッジ体に、供給リール軸及び巻き上げリール軸を配設する基板並びに転写ヘッド、ヘッドカバーを、又、本体にスライドカバーをそれぞれ一体に設けてなり、上記ヘッドカバーは、転写ヘッドの先端部のみを露出し、転写ヘッドとの間にテープ送出路及びテープ巻取り路を形成するように被覆してカートリッジ体に固定するとともに、上記スライドカバーは、本体先端において、前後方向に摺動自在に形成し、上記ヘッドカバーを覆い、転写ヘッド先端を隠蔽できるように構成してなる字消し具。」
と訂正する。
ｂ．特許明細書の段落【０００９】【課題を解決するための手段】の記載、
「このカートリッジ体と、供給リール軸及び巻取りリール軸を配設する基板並びに転写ヘッド、ヘッドカバー及びスライドカバーを一体としてなり、ヘッドカバーは、転写ヘッドの先端部のみを露出し、転写ヘッドとの間にテープ送出路及びテープ巻取り路を形成するように被覆してカートリッジ体に固定するとともに、スライドカバーは本体先端に前後方向に摺動自在に形成し、ヘッドカバーを覆い転写ヘッド先端を隠蔽できるようにしてなる。」
を
「このカートリッジ体と、供給リール軸及び巻き上げリール軸を配設する基板並びに転写ヘッド、ヘッドカバーを、又、本体にスライドカバーをそれぞれ一体としてなり、上記ヘッドカバーは、転写ヘッドの先端部のみを露出し、転写ヘッドとの間にテープ送出路及びテープ巻取り路を形成するように被覆してカートリッジ体に固定するとともに、上記スライドカバーは本体先端において、前後方向に摺動自在に形成し、上記ヘッドカバーを覆い転写ヘッド先端を隠蔽できるようにしてなる。」
と訂正する。
ｃ．特許明細書の段落【００１０】【作用】の記載、
「本体の外側部材に対して前後方向に摺動自在とするスライドカバーを設け、」
を、
「本体先端の外側部材に対して前後方向に摺動自在とするスライドカバーを設け、」
と訂正する。
（５４）【発明の名称】
字消し具
（５７）【特許請求の範囲】
　　【請求項１】　連続する修正塗料転写テープを介して、一体に回転自在に保持される供給リールと巻取りリールを有するカートリッジ体を、本体に対し着脱自在とするとともに、このカートリッジ体に、供給リール軸及び巻き上げリール軸を配設する基板並びに転写ヘッド、ヘッドカバー
を、又、本体に
それぞれ
上記
上記
おいて、
上記
　　【請求項２】　カートリッジ体は本体の後端開口より挿入され、カートリッジ体の先端の転写ヘッドを本体の先端開口より突出して着脱自在に係止される請求項１記載の字消し具。
　　【請求項３】　本体内部にあって、転写テープの側縁を支承して案内する転写テープガイドを転写ヘッド支持部材に設けてなる請求項１又は２記載の字消し具。
　　【請求項４】　カートリッジ体の転写ヘッド支持部材の根元に左右方向に突出する突条体を突設し、カートリッジ装着時、供給リールカバーと巻取りリールカバーの端縁が本体内壁への接触を防止してなる請求項１〜請求項３記載の字消し具。
　　【請求項５】　本体の内壁に本体の先端開口部方向に連続する突縁を突設し、カートリッジ体先端が本体内壁への接触を防止してなる請求項１〜請求項４記載の字消し具。
【発明の詳細な説明】
　　　【０００１】
　　【産業上の利用分野】
　この発明は、原稿の活字等に修正を施す際に使用する字消し具の改良に関する。
　　　【０００２】
　　【従来の技術】
　従来、原稿等の活字に修正を施す際に使用する字消し具の内、修正塗料転写テープを使用するものとして、マガジン内に修正塗料転写テープを巻装した供給リールと、修正塗料転写テープを巻き取り、上記供給リールと共に修正塗料転写テープを介して一体とされる巻取りリールが回転自在に保持され、この供給リールと巻取りリール間に渡される修正塗料転写テープを、マガジン内後背より外部に突出するヘッドにより外部に露出させるものがある。この外部に露出させた修正塗料転写テープをヘッドと共に、字消し作業該当箇所に当接、押圧しつつ一定方向に移動させることで、字消し作業を行うと共に使用後の修正塗料転写テープをマガジン内に回転自在に保持される巻取りリールに巻取ってなるもの（特公平３−１１６３９号）等が提案されている。しかしながら、連続して複数の文字の文字消し作業を行う場合には、字消し作業に供される修正塗料転写テープが、使用後の修正塗料転写テープを巻取りリールに巻取りつつ、供給リールより繰り出されるので、字消し作業を効率よく行えるものであるが、単独の文字、すなわち字消し作業に当たってのヘッドの移動距離が小さい場合には、使用後の修正塗料転写テープのたるみにより巻取りリールに確実に巻取ることができない。そこで、次に作業を行うに当たっては一度ヘッドを紙面等上で移動させた上で使用しなければならず、使用者に対して煩雑な作業を強いるという問題点がある。
　　　【０００３】
　この巻取りリールヘの使用後の修正塗料転写テープの巻取りを確実に行うために、修正塗料転写テープの巻装された供給リールと巻取りリールとを併設した上、各々のリールが保持される同一軸上にギヤを配置し、これらのギヤの噛合をもって巻取りリール側の修正塗料転写テープの巻取りを確実に行おうとするものも提案された。
　　　【０００４】
　又、更には、字消し具の使用具合を向上させるために、供給リールと巻き上げリールとを重畳して配設して、供給リールと同一軸上に設けられるギヤと巻き上げリールと同一軸上に設けられるギヤとを噛合した上、両リールを収容する筒体を略円筒形状としてなるものが提案されている。
　　　【０００５】
　　【発明が解決しようとする課題】
　しかしながら、上記従来のものにおいては、供給リールの軸が筒体と一体となっているため、供給リールに巻装された修正塗料転写テープの残量が零あるいは僅少となり、巻き上げリールに巻き取られた使用済みの修正塗料転写テープを廃棄することとなる。そして、新しい修正塗料転写テープを供給リールに装着し、かつ、巻き上げリールに新しい修正塗料転写テープを差し渡すためには、筒体の係合を開放して筒体を軸に平行に二分割してリール部分を露出し、更に、ギヤをリールに固定している部分の係合をも開放して供給リールを露出しなけれはならず、修正塗料転写テープ交換には多くの時間と手間とを要するという問題点があった。
　　　【０００６】
　又、修正塗料転写テープが転写ヘッドの先端に常に露出していることから、不必要にその先端のテープ露出部分が対称物以外に転写されてその部位を汚損するとともに、修正塗料転写テープ自体の効力を喪失させるという問題点もあった。
　　　【０００７】
　更に、字消し具内部において、各リールと転写ヘッド先端との間に延伸されている修正塗料転写テープが捩じれやたるみを生じ、修正塗料転写テープの送り出しや巻き取りを阻害したり、あるいは筒体内壁に接触してテープ表面の塗料が剥離して、字消し具としての効能を減退させる等の問題点もある。
　　　【０００８】
　そこで、この発明は上記従来のものの有する問題点を改善するものであり、修正塗料転写テープの交換を容易かつ短時間で可能とし、又、非使用時において修正テープを露出する転写ヘッド先端を被覆することにより、転写ヘッドに差し渡される部位における修正塗料転写テープの塗料剥離を防止し、更に、筒体内部における修正塗料転写テープの捩じれやたるみ並びに塗料剥離を防止するものである。
　　　【０００９】
　　【課題を解決するための手段】
　修正塗料転写テープの交換を容易かつ短時間で可能とするために、カートリッジ体を本体に対し着脱自在に挿入するとともに、このカートリッジ体と、供給リール軸及び巻取りリール軸を配設する基板並びに転写ヘッド、ヘッドカバー
を、又、本体に
それぞれ
上記
上記
おいて、
上記
　　　【００１０】
　　【作用】
　上記構成を具えるので、修正塗料転写テープの交換を行う場合、カートリッジ体を本体から離脱させると、カートリッジ体と一体となっている基板及び転写ヘッドが本体より離脱され、供給リール及び巻取りリール自体並びに転写ヘッドが外部に露出する。そのため、容易かつ短時間で新しい修正塗料転写テープを供給リールに装着し、且つ、転写ヘッドを介して巻取りリールを差し渡すことができる。その上、供給リールと巻取りリールとを重畳して配設するとともに、供給リールと同一軸上に設けられるギヤと巻取りリールと同一軸上に設けられるギヤとを噛合させることにより、修正塗料転写テープの交換の容易性を維持したまま字消し具全体の小型化を図ることができる。本体
先端
　　　【００１１】
　　【実施例】
　この発明を図に示す実施例により更に説明する。（１）はこの発明にかかる字消し具であり、未使用の修正塗料転写テープ（３）を巻装する供給リール（４）と、この修正塗料転写テープ（３）を介して一体に連続し、使用後の修正塗料転写テープ（３）を巻取る巻取りリール（５）を回転自在に本体（２）内部に保持する。この本体（２）と上記供給リール（４）と巻取りリール（５）の軸（７），（８）を基板（１４）とともに一体にしてなるカートリッジ体（１５）からこの字消し具（１）は構成され、この本体（２）内から引き出される修正塗料転写テープ（３）を、本体（２）の先端から突出させてなる転写ヘッド（９）には、修正塗料転写テープ（３）を誘導するためのヘッドカバー（１２）が設けられる。一方、この本体（２）内において、連続して引き出される修正塗料転写テープ（３）を介して一体に、回転自在に保持される供給リール（４）と巻取りリール（５）は、互いに本体（２）内部において本体（２）の横断面に対して平行に配設される基板（１４）を基点として上下に重畳して配設される。又、供給リール（４）の回転軸となる供給リール軸（７）と同軸、且つ、基板（１４）側に外歯の供給リールギヤ（１０）が一方、巻取りリール（５）の回転軸となる巻取りリール軸（８）と同軸、且つ、基板（１４）の供給リール（４）側に外歯の巻取りリールギヤ（１１）が、それぞれ外接噛合するよう配設される。その上、本体（２）に挿入されるカートリッジ体（１５）の両側方先端部は、弾性素材により係合段部（１６）を有するように構成され、カートリッジ体（１５）は本体（２）の後端（４２）の開口（４０）を通して本体（２）に挿入する。又、本体（２）の本体部（１３）壁面の基底部側最先端に係合段受部（１７）が構成されることにより、カートリッジ体（１５）と本体（２）の本体部（１３）とは着脱自在に係合固定される。更に、本体（２）内部において、本体（２）の横断面に対して平行に配設される基板（１４）は、その基底部側において、カートリッジ体（１５）の内側と接続固定されるとともに、その先端部側において、転写ヘッド（９）を支持する転写ヘッド支持部材（１８）と直交して接続固定される。（１９）は供給リール固定ピンであって、供給リール軸（７）に着脱自在に嵌入されて供給リール（４）を固定し、（２０）は巻取りリール固定ピンであって、巻取りリール軸（８）に着脱自在に嵌入されて巻取りリール（５）を固定する。
　　　【００１２】
　そして、（２１）はスライドカバーであって、中空の略円筒形状であり、その外側の基底部側には摺動係止突起（２２）を、その略先端部側には係止突起（２４）をそれぞれ有し、本体（２）の本体部（１３）の先端部側内壁に設けられた摺動溝（２３）内に前記摺動係止突起（２２）が摺動自在に係合されるとともに、本体（２）の本体部（１３）の最先部が前記係止突起（２４）と係合可能となる。更には、スライドカバー（２１）は本体（２）の本体部（１３）に対して摺動溝（２３）の全長の範囲内において摺動自在であり、スライドカバー（２１）が最後退した場合には、その最先部は転写ヘッド（９）を露出し、この場合、転写ヘッド（９）の先端はスライドカバー（２１）の最先端と一致したスライドカバー（２１）の基端（４６）の開口（４４）より突出する。一方、スライドカバー（２１）が最前進した場合には、その最先部は転写ヘッド（９）を隠蔽する。
　　　【００１３】
　図３に示す実施例の説明にあるように、更に字消し具（１）は転写ヘッド支持部材（１８）に取り付けた一対の修正塗料転写テープガイド（２５）及び一対の修正塗料転写テープガイド（２６）を有し、図３に示すように、テープガイド（２５）を修正塗料転写テープ（３）が供給リール（４）と転写ヘッド（９）との間で支持部材（１８）の側に沿って伸長する。したがって、支持部材（１８）の供給リール側になるように支持部材（１８）の一方側に取り付け、同様に、支持部材（１８）の反対側に、支持部材（１８）の巻取りリール側になるようにテープガイド（２６）を取り付ける。テープガイド（２５）の各々は支持部材（１８）の端部に取り付けた一対の弓形部材（４８）を有し、弓形部材（４８）の末端をテープガイド（２５）の切り込みとして形成しお互いに間隔を有している。同様に、テープガイド（２６）の各々は支持部材（１８）の反対側基端に取り付けた一対の弓形部材（５０）を有している。夫々テープガイド（２６）に形成されている一対の弓形部材（５０）の末端をそれぞれテープガイド（２６）の切り込みとして形成しお互いに間隔を有している。
　　　【００１４】
　付け加えるに、図３に示すように、テープガイド（２５）とテープガイド（２６）とはテープの供給方向に対向しないように、テープガイド（２５）の基板（１４）よりの一つをテープガイド（２６）の基板（１４）よりの一つよりも基板（１４）よりに配置する。そのようにして、修正塗料転写テープ（３）を支持部材（１８）の供給リール側に配置したテープガイド（２５）と支持部材（１８）の供給リール側に配置したテープガイド（２６）の内側に差し渡す。又、この発明の実施例である字消し具（１）を構成し、修正塗膜を被転写面に転写するに当って修正塗料転写テープ（３）を密着させるべく屈曲、保持してなる転写ヘッド（９）において、その転写ヘッド（９）の先端部のみを露出させて上記転写ヘッド（９）との間に一定のテープ送出路及びテープ巻取り路を形成するテープ挿通孔（３４）が転写ヘッド支持部材（１８）に固定するヘッドカバー（１２）により被覆される。すなわち、スライドカバー（２１）はヘッドカバー（１２）を被覆してはいるが、テープ送出路とテープ巻取り路とは無関係となっているものである。
　　　【００１５】
　この発明は以上の構成を具えるので、供給リール（４）に巻装された修正塗料転写テープ（３）の残量が零あるいは僅少となって、修正塗料転写テープの交換の必要が生じた場合、カートリッジ体（１５）の先端部を押圧することによって、その先端部の係合段部（１６）と本体（２）の本体部（１３）の係合段受部（１７）との係合を解除する。そして、そのままカートリッジ体（１５）を本体（２）の本体部（１３）より引き抜くと、同時に、カートリッジ体（１５）と一体に接合されている基板（１４）並びに転写ヘッド支持部材（１８）及び転写ヘッド（９）が、本体（２）の本体部（１３）より引き抜かれ、基板（１４）に設けられた供給リール（４）及び巻取りリール（５）が全面的に外部に露出される。その上で、供給リール（４）及び巻取りリール（５）をそれぞれ固定している供給リール固定ピン（１９）及び巻取りリール固定ピン（２０）を、供給リール軸（７）及び巻取りリール軸（８）からそれぞれ引き抜くことにより、各リール（４）（５）に巻装された修正塗料転写テープ（３）を除去する。そこで、その状態で新しい修正塗料転写テープ（３）を供給リール（４）に巻装するとともに、このテープ（３）の先端を転写ヘッド（９）の先端部を介して巻取りリール（５）に固定する。次に、本体（２）の本体部（１３）の基板側に転写ヘッド（９）の先端部側から挿入し、カートリッジ体（１５）の本体（２）の本体部（１３）の係合段部（１６）を係合段受部（１７）に係合させることにより、カートリッジ体（１５）を本体（２）の本体部（１３）に固定して修正塗料転写テープ（３）が更新される。この場合、あらかじめ転写テープを入れ替えてあるカートリッジ体（１５）を本体（２）内に挿入すれば、直にその交換を実施できる。
　　　【００１６】
　一方、字消し具（１）を使用する場合には、転写ヘッド（９）が外部に露出している必要があるものの、字消し具（１）を使用しない場合には、修正塗料転写テープ（３）表面の修正塗料の剥離を防止するために、同テープ（３）の差し渡されている転写ヘッド（９）自体を被覆する必要がある。これは、スライドカバー（２１）を、摺動係止突起（２２）が摺動溝（２３）の最先部に係止されるまで摺動溝（２３）に沿って先端部側へ前進させることにより、転写ヘッド（９）の先端部がスライドカバー（２１）の中に収納されることで解決できる。又、字消し具（１）の使用時には、逆に、スライドカバー（２１）を、摺動係止突起（２２）が摺動溝（２３）の最後部に係止されるとともに、スライドカバー（２１）外面の係止突起（２４）に本体（２）の本体部（１３）の最先端が係合するまで摺動溝（２３）に沿って基底部側へ後退させることにより、転写ヘッド（９）の先端が外部に露出される。これらはいずれもヘッドカバー（２２）により被覆される塗料転写テープ（３）の供給、巻取り路に無関係に実施される。
　　　【００１７】
　供給リール側の転写テープガイド（２５）及び巻取りリール側の転写テープガイド（２６）を転写ヘッド支持部材（１８）に設けた場合、前述した修正塗料転写テープ（３）の交換作業を行うに当り、供給リール（４）から転写ヘッド（９）へ、又、転写ヘッド（９）から巻取りリール（５）へと新しい修正塗料転写テープ（３）を差し渡す際、その各一対のガイド（２５），（２６）の切り欠けられている各頂部より修正塗料転写テープ（３）を各ガイド（２５），（２６）内に挿入することによって、修正塗料転写テープ（３）を各ガイド（２５），（２６）に支持された状態とすることができる。そして、各ガイド（２５），（２６）が、それぞれ基板（１４）に沿い湾曲部材よりなることから、修正塗料転写テープ（３）が不必要に各ガイド（２５），（２６）に接触することなく、修正塗料転写テープ（３）表面の修正塗料の剥離をも最小限に留めることができる。
　　　【００１８】
　更に、本来供給リール（４）や巻取りリール（５）に巻装されるべき修正塗料転写テープ（３）が、振動等の誤作動による修正塗料転写テープ（３）の供給、巻取り機構の回転でゆるんでしまったりほぐれてしまうことを防止するために、修正塗料転写テープ（３）を字消し具部材の本体（２）の開口部（６）に固定して防ぐことができる。それは、供給リール（４）に巻かれた修正塗料転写テープ（３）の本体（２）外に案内する修正塗料転写テープ（３）部分と、転写される表面に直接密着させた後に巻取りリール（５）に巻かれるテープ部分のみを残して、ヘッドカバー（１２）により形成されるテープ供給路及びテープ巻取り路からなるテープ挿通孔（３４）により修正塗料転写テープ（３）を供給リール（４）から転写ヘッド（９）を介して巻取りリール（５）まで案内するからである（図７，図８）。これにより、供給リール（４）或は巻取りリール（５）の誤作動によって本来修正塗料転写テープ（３）を案内する転写ヘッド（９）から修正塗料転写テープ（３）の脱離を確実に防ぐことが可能となり、修正塗料転写テープ（３）の供給リール（４）或は巻取りリール（５）による誤作動に伴う修正塗料転写テープ（３）相互の接着等の不具合を防止することができる。図８は図７のＡ−Ａ断面を示す。
　　　【００１９】
　その上、字消し具（１）を構成する本体（２）内に収容される供給リール（４）或は巻取りリール（５）において巻回される修正塗料転写テープ（３）を案内する転写ヘッド（９）は、被転写面に密着する転写ヘッド（９）の先端部のみを残してカートリッジ体（１５）に固定されるヘッドカバー（１２）により被覆されているため、供給リール（４）或は巻取りリール（５）による誤作動に伴って修正塗料転写テープ（３）が弛緩してしまったため、修正塗料転写テープ（３）を案内する転写ヘッド（９）より修正塗料転写テープ（３）が脱離してしまった場合のみならず、不用意に修正塗料転写テープ（３）を案内する転写ヘッド（９）の先端が他の物品と接触しても、修正塗料転写テープ（３）に定着する修正塗料が不要箇所に転写されてしまうことを確実に防止することができる。
　　　【００２０】
　そして、上記修正塗料転写テープ（３）の供給、巻取り機構を内装する本体（２）の転写ヘッド支持部材（１８）の根元には、左右方向に突出する突条体（２７），（２７）を突設して設けるものである（図４，図５参照）。この字消し具の（１）の組立て、或は修正塗料転写テープ（３）を巻回するカートリッジ本体（１５）の交換作業時、このカートリッジ体（１５）を本体（２）に挿入するに当り、修正塗料転写テープ（３）を取りまわすカートリッジ体（１５）に装着する供給リール（４）の外側に転写テープを保護するために設けるリールカバー（２８）と、同じく巻取りリール（５）側に設けるリールカバー（２９）のそれぞれの端縁（３０），（３１）は、その根元に左右に突条体（２７），（２７）が上記リールカバー（２８），（２９）の端縁（３０），（３１）とほぼ同一寸法に突設されている。このため、突条体（２７），（２７）により、上記供給、巻取りリールの各リールカバー（２８），（２９）の端縁（３０），（３１）が本体（２）内壁に接触することを阻止できるので、カートリッジ体（１５）の転写ヘッド支持部材（１８）が上下或は左右方向に揺動することを防止しながら、本体（２）の開口部（６）方向に向って案内する。これは、修正塗料転写テープを取り回すカートリッジ体（１５）の上記支持部材（１８）を円滑に本体（２）の開口部（６）へ案内し、字消し具の（１）の組立て、或は修正塗料転写テープ（３）を巻回するカートリッジ体（１５）の交換作業を簡易かつ確実に行えるようにするとともに、この作業において修正塗料転写テープ（３）の切断等の破損をも防止することができる。（３５）はガイド杆であり、巻取りリール（５）の上記転写テープ（３）の巻取りを円滑にするための案内である。
　　　【００２１】
　更に、図９は字消し具（１）を構成する本体（２）を示すものであり、この本体（２）においては、上記修正塗料転写テープ供給、巻取り機構を内装するカートリッジ体（１５）が挿入され、このカートリッジ体（１５）の転写ヘッド支持部材（１８）の先端は、本体（２）の開口部（６）により突出する。上記カートリッジ体（１５）に対して装着される本体（２）の内壁（３２）の上下において、本体（２）の開口部（６）方向に向って、連続する突縁（３３），（３３）は、カートリッジ体（１５）の本体（２）への挿入時、転写ヘッド（９）先端が接触しても引かかることのないように、適度に曲率をもつ曲線により形成される。
　　　【００２２】
　この字消し具（１）の組立て、或は修正塗料転写テープ（３）を巻回するカートリッジ体（１５）の交換作業にあたって、このカートリッジ体（１５）を本体（２）に一体に装着しようとするときには、カートリッジ体（１５）を本体（２）に挿入すると修正塗料転写テープを取りまわすカートリッジ体（１５）の転写ヘッド（９）が、この本体（２）の内壁（３２）特に、スライドカバー（２１）の基端に接触することがある。しかし、この本体（２）の内壁（３２）の上下には本体（２）の開口部（６）方向に向って連続する突縁（３３），（３３）が突設されているため、修正塗料転写テープを取り回すカートリッジ体（１５）の転写ヘッド（９）は、上記突縁（３３），（３３）に接触した後に、この突縁（３３），（３３）が本体（２）の開口部（６）方向に向って案内されるものとなる。このため、カートリッジ体（１５）の転写ヘッド（９）が特に上下方向に揺動を生じても、本体（２）内壁（３２）に引かかることなく本体（２）への装着を円滑にかつ確実に行うことができると共に、この作業中においての修正塗料転写テープ（３）の切断等の破損を防止することができる。
　　　【００２３】
　更には、上記突条体（２７）を有するカートリッジ体（１５）と突縁（３３）を設ける本体とを適宜組合せることにより、カートリッジ体（１５）の本体（２）への挿入をより円滑に効果的に実施することができる。
　　　【００２４】
　　【発明の効果】
　以上のとおりであるから、カートリッジ体又は本体のいずれも非常に簡易な構成で安価に構成することができるとともに、従来、ともすればテープ交換の面倒から使い捨てとなり易かったりリールによるテープ送り出し方式の字消し具において、修正塗料転写テープの交換を容易化することができる。更には、容器のリサイクルにも資することができ、非使用時には修正テープを露出する転写ヘッドを摺動部材の中に収納することによって、字消し具周囲の汚損あるいは修正塗料転写テープのロスを防止し、さらには、筒体内にガイドを設けることにより、筒体内での修正塗料転写テープの捩れや緩みを更には修正テープのロスを防止することができる、という優れた効果を有するものである。
【図面の簡単な説明】
　　【図１】
　この発明の実施例である字消し具の正面図である。
　　【図２】
　同じく字消し具の縦断面図である。
　　【図３】
　同じく字消し具を構成するカートリッジ体の斜視図である。
　　【図４】
　転写ヘッド支持部材に突条体を有する他の実施例のカートリッジ体の正面図である。
　　【図５】
　図４の側面図を示すものである。
　　【図６】
　この発明の実施例の本体とカートリッジ体の嵌合を示す部分拡大図である。
　　【図７】
　この発明の実施例の先端部の斜視図である。
　　【図８】
　同じく図７のＡ−Ａ縦断面図である。
　　【図９】
　この発明の本体の縦断正面図である。
　【符号の説明】
　１　字消し具
　２　本体
　３　修正塗料転写テープ
　４　供給リール
　５　巻取りリール
　６　開口部
　７　供給リール軸
　８　巻取りリール軸
　９　転写ヘッド
　１０　供給リールギヤ
　１１　巻取りリールギヤ
　１２　ヘッドカバー
　１３　本体部
　１４　基板
　１５　カートリッジ体
　１６　係合段部
　１７　係合段受部
　１８　転写ヘッド支持部材
　１９　供給リール固定ピン
　２０　巻取りリール固定ピン
　２１　スライドカバー
　２２　摺動係止突起
　２３　摺動溝
　２４　係止突起
　２５　供給リール側の転写テープガイド
　２６　巻取りリール側の転写テープガイド
　２７　突条体
　２８　供給リールカバー
　２９　巻取りリールカバー
　３０，３１　端縁
　３２　本体内壁
　３３　突縁
　３４　テープ挿通孔
　３５　ガイド杆
　４０　開口
　４２　本体後端
　４４　開口
　４６　基端
　４８，５０　弓形部材